(57)【要約】【課題】保護フィルムを容易に剥離することのできる保護フィルム剥離装置を提供する。【解決手段】本発明の保護フィルム剥離装置１は、第一剥離手段２により、保護フィルム１０５の端部の少なくとも一部を含むように、保護フィルム１０５に粘着テープを貼着し、保護フィルム１０５表面に対して外向きの張力を粘着テープに付加した後、保護フィルム１０５の剥離を開始する。【選択図】図２
2010149965.tif 000002
【特許請求の範囲】
【請求項１】
被保護部材に貼着された保護フィルムを粘着テープにより剥離する保護フィルム剥離装置であって、
上記保護フィルムの端部の少なくとも一部を含むように、上記保護フィルムに粘着テープを貼着し、貼着された粘着テープにより、上記保護フィルムの端部を剥離する第一剥離手段を備え、
上記第一剥離手段は、上記保護フィルム表面に対して外向きの張力を、上記粘着テープに付加した状態で、上記保護フィルムの端部の剥離を開始することを特徴とする保護フィルム剥離装置。
【請求項２】
上記第一剥離手段は、上記粘着テープに付加される張力の上記保護フィルム表面における分力が、上記保護フィルムの端部の少なくとも一部の外側に向かうように、上記粘着テープに張力を付加することを特徴とする請求項１に記載の保護フィルム剥離装置。
【請求項３】
上記第一剥離手段は、上記粘着テープが上記保護フィルムの端部からはみ出し、上記保護フィルムに貼着されない非貼着部を有するように、上記粘着テープを貼着することを特徴とする請求項１または２に記載の保護フィルム剥離装置。
【請求項４】
上記第一剥離手段は、上記粘着テープの非貼着部の粘着面と、上記保護フィルム表面を含む平面との成す角度が９０°以下となるように、上記粘着テープに張力を付加することを特徴とする請求項３に記載の保護フィルム剥離装置。
【請求項５】
上記第一剥離手段は、上記粘着テープの長さ方向と平行な方向の張力を、上記粘着テープに付加することを特徴とする請求項１〜４のいずれか１項に記載の保護フィルム剥離装置。
【請求項６】
上記第一剥離手段は、上記粘着テープに付加される張力の保護フィルム表面に対して垂直方向の分力が、上記粘着テープが貼着された部分における、上記保護フィルムと被保護部材との粘着力以下となるように、上記粘着テープに張力を付加することを特徴とする請求項１〜５のいずれか１項に記載の保護フィルム剥離装置。
【請求項７】
上記第一剥離手段は、上記保護フィルムの端部の剥離開始前から剥離終了まで、継続的に上記粘着テープに上記張力を付加することを特徴とする請求項１〜６のいずれか１項に記載の保護フィルム剥離装置。
【請求項８】
被保護部材に貼着された保護フィルムを粘着テープにより剥離する保護フィルム剥離方法であって、
上記保護フィルムの端部の少なくとも一部を含むように、上記保護フィルムに粘着テープを貼着し、貼着された粘着テープにより、上記保護フィルムの端部を剥離する第一剥離工程を含み、
上記第一剥離工程は、上記保護フィルム表面に対して外向きの張力を、上記粘着テープに付加した状態で、上記保護フィルムの端部の剥離を開始することを特徴とする保護フィルム剥離方法。
【発明の詳細な説明】
【技術分野】
【０００１】
本発明は、保護フィルム剥離装置および保護フィルム剥離方法に関し、より詳細には、被保護部材の表面に貼着された保護フィルムを粘着テープにより剥離する保護フィルム剥離装置および保護フィルム剥離方法に関する。
【背景技術】
【０００２】
従来から、電子デバイスの製造工程または電気製品の組立工程において、傷やゴミ・埃・パーティクルに起因する電子デバイスの不良や電気製品の品位の低下などが問題になる。その対策として、電子デバイスや電気製品の表面や外装を保護するために、保護フィルムが広く使われている。
【０００３】
たとえば、液晶テレビなどに用いられる液晶パネルは、その最表面に偏光板が設けられている。しかし、この偏光板の表面が傷つけられたり、ゴミや埃などで汚されたりすると、液晶パネルは不良品として扱われる。このような不具合を避けるため、偏光板の表面に保護フィルムが貼着された状態で、液晶パネルが製造される場合が多い。この場合、完成した液晶パネルの偏光板の表面には、保護フィルムが貼着されたままである。しかし、この液晶パネルを液晶テレビに組み込む段階では、保護フィルムは不要である。このため、液晶テレビの製造工程には、保護フィルムを剥離する工程が必要になる。
【０００４】
保護フィルムの剥離方法は、直接法と、間接法とに大別できる。直接法は、保護フィルム自体を、スクレイパーまたは刃歯のような剥離道具によって、直接的に剥離する方法である。一方、間接法は、保護フィルムの表面に粘着テープなどを貼着し、粘着テープと共に保護フィルムを間接的に剥離する方法である。
【０００５】
直接法の場合、保護フィルムによって保護される被保護部材に、剥離道具が直接的に接触するため、被保護部材を傷つける恐れがある。これに対し、間接法の場合、粘着テープなどを保護フィルムの表面のみに接触させて剥離するため、被保護部材を傷つける可能性がなくなる。このため、直接法に比べ、間接法による剥離がより広く用いられる。
【０００６】
しかしながら、間接法は、通常、機械装置を使って粘着テープと共に保護フィルムを剥離するため、粘着テープによる保護フィルムの剥離容易性、剥離作業の実効時間、および粘着テープの使用量に関わる作業性および経済性などが問題となる。
【０００７】
そこで、例えば、特許文献１には、この対策として、粘着テープにより保護フィルムを剥離する最初期において、粘着テープの姿勢を保護フィルムの剥離方向に対して鋭角姿勢とする保護フィルム剥離装置が開示されている。特許文献１の保護フィルム剥離装置は、保護フィルムのコーナー先端部の剥ぎ取り操作をより容易に行うことができる。
【特許文献１】特開２０００−９５４２９号公報（２０００年４月４日公開）
【発明の開示】
【発明が解決しようとする課題】
【０００８】
しかしながら、特許文献１等の従来の保護フィルム剥離装置は、保護フィルムの剥離が困難であるという問題がある。
【０００９】
具体的には、特許文献１の保護フィルム剥離装置は、保護フィルムの剥離方向に対して、鋭角姿勢で（保護フィルム表面に対して内向きに）保護フィルムを剥離する。この場合、粘着テープの粘着力が、単に粘着テープの粘着剤と、保護フィルムなどの被着体との相性により決められる。つまり、保護フィルムの剥離容易性は、粘着テープの粘着力に大きく依存することになる。
【００１０】
また、最終製品形態に近づく液晶パネル等に使用される保護フィルムは、汚れ付着を強力に防止するため、保護フィルム表面に、表面処理が施されている。例えば、保護フィルムの表面に、シリコン系樹脂や長鎖アルキル基を有する樹脂などの層が形成されている。
【００１１】
しかし、このような表面処理は、粘着テープの粘着力が低下する原因となる。このため、表面処理が施された保護フィルムの剥離が特に困難である。また、例えば、ゴム系の粘着テープのように、特に粘着力のムラが大きい場合も、保護フィルムの剥離が困難である。
【００１２】
また、特許文献１においては、剥離時の粘着テープに付加する張力を複雑な機構により制御することで、粘着テープの粘着力をより最大限に発揮させようとしている。しかし、このように複雑な機構で制御しながら剥離すると、剥離作業に要する実効時間が長くなる傾向がある。その結果、時間当たりに剥離する保護フィルムの量は少なくなる。従って、作業性および経済性が一層悪くなる。
【００１３】
そこで、本発明は、上記従来の問題点に鑑みてなされたものであり、その目的は、保護フィルムを容易に剥離することができる保護フィルム剥離装置および剥離方法を実現することにある。
【課題を解決するための手段】
【００１４】
本発明の保護フィルム剥離装置は、上記の課題を解決するために、被保護部材に貼着された保護フィルムを粘着テープにより剥離する保護フィルム剥離装置であって、
上記保護フィルムの端部の少なくとも一部を含むように、上記保護フィルムに粘着テープを貼着し、貼着された粘着テープにより、上記保護フィルムの端部を剥離する第一剥離手段を備え、
上記第一剥離手段は、上記保護フィルム表面に対して外向きの張力を、上記粘着テープに付加した状態で、上記保護フィルムの端部の剥離を開始することを特徴としている。
【００１５】
上記の構成によれば、第一剥離手段が、保護フィルムを剥離する前に、保護フィルム表面に対して外向きの張力を、粘着テープに付加する。これにより、粘着テープの粘着力が顕著に向上する。さらに、第一剥離手段は、粘着テープにその張力を付加した状態で、保護フィルムの端部の剥離を開始する。これにより、粘着力を向上させた粘着テープによって、保護フィルムを剥離することができる。従って、保護フィルムを容易に剥離することができる。
【００１６】
本発明の保護フィルム剥離装置では、上記第一剥離手段は、上記粘着テープに付加される張力の上記保護フィルム表面における分力が、上記保護フィルムの端部の少なくとも一部の外側に向かうように、上記粘着テープに張力を付加してもよい。
【００１７】
上記の構成によれば、第一剥離手段は、粘着テープに付加する張力の保護フィルム表面における分力が、粘着テープが貼着された保護フィルムの端部の外側に向かうように、粘着テープに張力を付加する。これにより、保護フィルム表面に対して外向きに粘着テープを引っ張る方向の張力が、粘着テープに確実に付加される。従って、粘着テープの粘着力を確実に向上させることができる。
【００１８】
本発明の保護フィルム剥離装置では、上記第一剥離手段は、上記粘着テープが上記保護フィルムの端部からはみ出し、上記保護フィルムに貼着されない非貼着部を有するように、上記粘着テープを貼着してもよい。
【００１９】
上記の構成によれば、粘着テープが、保護フィルムの端部からはみ出して貼着された非貼着部を有する。これにより、粘着テープが、確実に保護フィルムの端部を含むように貼着される。従って、粘着テープに対する張力の付加、および、保護フィルムの剥離を、容易に行うことができる。
【００２０】
本発明の保護フィルム剥離装置では、上記第一剥離手段は、上記粘着テープの非貼着部の粘着面と、上記保護フィルム表面を含む平面との成す角度が９０°以下となるように、上記粘着テープに張力を付加してもよい。
【００２１】
上記の構成によれば、第一剥離手段が粘着テープに張力を付加する際に、粘着テープの非貼着部の粘着面（裏面）と、保護フィルム表面を含む平面とのなす角度が常に９０°以下となる。これにより、保護フィルム表面に対して外向きに粘着テープを引っ張る方向の張力が、粘着テープに確実に付加される。従って、粘着テープの粘着力を確実に向上させることができる。
【００２２】
本発明の保護フィルム剥離装置では、上記第一剥離手段は、上記粘着テープの長さ方向と平行な方向の張力を、上記粘着テープに付加してもよい。
【００２３】
上記の構成によれば、第一剥離手段が、粘着テープの長さ方向と平行な方向の張力を粘着テープに付加する。これにより、粘着テープには、粘着テープを引っ張る方向の張力が、確実に付加される。従って、粘着テープの粘着力を確実に向上させることができる。
【００２４】
なお、上記の構成は、例えば、粘着テープの非貼着部の粘着面と、上記保護フィルム表面を含む平面との成す角度が０°とすることによっても実現することができる。
【００２５】
本発明の保護フィルム剥離装置では、上記第一剥離手段は、上記粘着テープに付加される張力の保護フィルム表面に対して垂直方向の分力が、上記粘着テープが貼着された部分における、上記保護フィルムと被保護部材との粘着力以下となるように、上記粘着テープに張力を付加してもよい。
【００２６】
上記の構成によれば、第一剥離手段が粘着テープに付加する張力が、保護フィルムと被保護部材との粘着力よりも小さいかまたは等しい。これにより、保護フィルム剥離前に粘着テープに張力を付加する段階で、被保護部材から保護フィルムが剥離されるのを防止することができる。
【００２７】
本発明の保護フィルム剥離装置では、上記第一剥離手段は、上記保護フィルムの端部の剥離開始前から剥離終了まで、継続的に上記粘着テープに上記張力を付加してもよい。
【００２８】
上記の構成によれば、第一剥離手段は、保護フィルム端部の剥離前から剥離終了まで、常に保護フィルム表面に対して外向きの張力を、粘着テープに付加する。これにより、保護フィルム端部の剥離終了まで、粘着テープの粘着力を向上させた状態を維持することができる。
【００２９】
なお、上記保護フィルムの端部を剥離するときには、例えば、上記粘着テープの非貼着部の粘着面（裏面）と、上記保護フィルム表面を含む平面との成す角度が９０°以下、好ましくは４５°以下となるように、粘着テープに張力を付加することによって、保護フィルム表面に対して外向きに粘着テープを引っ張る方向の張力が、粘着テープに確実に付加される。これにより、粘着テープの粘着力を確実に向上させることができる。従って、保護フィルムの端部を容易に剥離することができる。
【００３０】
本発明の保護フィルム剥離方法は、上記の課題を解決するために、被保護部材に貼着された保護フィルムを粘着テープにより剥離する保護フィルム剥離方法であって、
上記保護フィルムの端部の少なくとも一部を含むように、上記保護フィルムに粘着テープを貼着し、貼着された粘着テープにより、上記保護フィルムの端部を剥離する第一剥離工程を含み、
上記第一剥離工程は、上記保護フィルム表面に対して外向きの張力を、上記粘着テープに付加した状態で、上記保護フィルムの端部の剥離を開始することを特徴としている。
【００３１】
上記の構成によれば、第一剥離工程では、保護フィルムの剥離前に、保護フィルム表面に対して外向きの張力を、粘着テープに付加する。これにより、粘着テープの粘着力が顕著に向上する。さらに、第一剥離工程では、粘着テープにその張力を付加した状態で、保護フィルムの端部の剥離を開始する。これにより、粘着力を向上させた粘着テープによって、保護フィルムを剥離することができる。従って、保護フィルムを容易に剥離することができる。
【００３２】
なお、本発明の保護フィルム剥離装置では、上記第一剥離手段は、上記保護フィルムの角部を含むように、上記保護フィルムに粘着テープを貼着してもよい。
【００３３】
上記の構成によれば、第一剥離手段が、保護フィルムの角部を含むように粘着テープを貼着する。これにより、張力を付加することによって、粘着テープの粘着力を、特に大きく向上させることができる。従って、保護フィルムの剥離を容易に行うことができる。
【００３４】
また、本発明の保護フィルム剥離装置は、上記第一剥離手段によって剥離された上記保護フィルムの端部を把持し、保護フィルム全面を剥離する第二剥離手段を備える構成であってもよい。
【００３５】
上記の構成によれば、第二剥離手段が、第一剥離手段によって剥離された保護フィルムの端部を保持し、保護フィルム全面を剥離する。従って、被保護部材から保護フィルムを完全に剥離することができる。
【００３６】
また、本発明の保護フィルム剥離装置では、上記第一剥離手段は、上記第二剥離手段が、第一剥離手段によって剥離された保護フィルムの端部を把持できる位置まで、上記保護フィルムの端部を剥離してもよい。
【００３７】
上記の構成によれば、第一剥離手段は、第二剥離手段によって剥離された保護フィルムの端部が把持できる位置まで、保護フィルムの端部を剥離する。これにより、第一剥離手段による保護フィルムの端部の剥離と、第二剥離手段による保護フィルム全体の剥離とを連続的に行うことができる。従って、保護フィルムの剥離動作を円滑に行うことができる。
【００３８】
本発明の保護フィルム剥離装置では、上記第一剥離手段は、上記粘着テープを上記保護フィルムに押し付けて貼着する押付部と、上記粘着テープを吸着保持する吸着保持部を備える構成であってもよい。
【００３９】
上記の構成によれば、第一剥離手段が吸着保持部を備えるため、粘着テープを安定して保持することができる。さらに、第一剥離手段が押付部を備えるため、粘着テープを保護フィルムに確実に押し付けて貼着することができる。従って、吸着保持部により粘着テープを安定して保持しつつ、押付部により粘着テープを保護フィルムに確実に貼着することができる。
【発明の効果】
【００４０】
本発明に係る保護フィルム剥離装置は、以上のように、上記保護フィルム表面に対して外向きの張力を、上記粘着テープに付加した状態で、上記保護フィルムの端部の剥離を開始する第一剥離手段を備える構成である。
【００４１】
また、本発明に係る保護フィルム剥離方法は、以上のように、上記保護フィルム表面に対して外向きの張力を、上記粘着テープに付加した状態で、上記保護フィルムの端部の剥離を開始する第一剥離工程を含んでいる。
【００４２】
上記保護フィルム剥離装置および保護フィルム剥離方法によれば、保護フィルムを容易に剥離することができるという効果を奏する。
【発明を実施するための最良の形態】
【００４３】
以下、本発明の実施形態について、図１ないし図２に基づいて説明する。
【００４４】
本実施形態では、本発明の保護フィルム剥離装置の一例として、液晶パネルの偏光板に貼着された保護フィルムを剥離する保護フィルム剥離装置について説明する。保護フィルムは、液晶パネルの表面に設けられた偏光板に貼着されており、偏光板の損傷や汚れを防止する。本実施形態の保護フィルム剥離装置は、液晶テレビの組立作業において、保護フィルムを、より容易に剥離するためのものである。もちろん、本発明の保護フィルム剥離装置は、この用途に限定されるものではなく、偏光板以外の被保護部材に貼着された、種々の保護フィルムの剥離に適用することも可能である。
【００４５】
図１は、偏光板に保護フィルムが設けられた液晶パネルの部分断面図である。図１に示すように、液晶パネルＰは、ＴＦＴ基板１０１とカラーフィルター基板１０２との間に、液晶材料（図示しない）が極少量で注入されており、ＴＦＴ基板１０１とカラーフィルター基板１０２とが貼り合わされた構成である。
【００４６】
ＴＦＴ基板１０１のカラーフィルター基板１０２と反対側の面には、偏光板１０３が設けられている。カラーフィルター基板１０２のＴＦＴ基板１０１と反対側の面には、偏光板１０４が設けられる。偏光板１０３は、液晶パネルＰの映像表示領域Ｓより大きく、ＴＦＴ基板１０１より小さい。偏光板１０４も、液晶パネルＰの映像表示領域Ｓよりも大きく、カラーフィルター基板１０２より小さい。なお、液晶パネルＰには、必要に応じて、駆動ＩＣや信号入力回路基板等（図示しない）が取り付けられる。
【００４７】
偏光板１０３および偏光板１０４の各表面には、偏光板１０３および偏光板１０４の各表面の損傷や汚れを防止するために、保護フィルム１０５と保護フィルム１０６とがそれぞれ貼着される。保護フィルム１０５，１０６は最終的に不要になるため、液晶テレビの組立作業において、液晶パネルＰから剥離されることになる。後述のように、本実施形態においては、保護フィルム１０５，１０６に貼着された粘着テープに、短時間で所定の張力を付加することにより、粘着テープの粘着力を向上させる。そして、その張力を付加した状態で、粘着テープによって、保護フィルム１０５，１０６を剥離する。つまり、粘着力が向上した粘着テープによって、保護フィルム１０５，１０６を剥離する。従って、偏光板１０３，１０４を傷つけることなく、保護フィルム１０５，１０６を短時間で容易に剥離することができる。
【００４８】
なお、図１に示す液晶パネルＰは、ＴＦＴ基板１０１の両面に、偏光板１０３，１０４が形成されており、偏光板１０３，１０４には、いずれにも保護フィルム１０５，１０６が貼着されている。以下の説明では、偏光板１０３に貼着された保護フィルム１０５の剥離について説明する。なお、保護フィルム１０６についても、保護フィルム１０５と同様にして剥離することができるため、説明を省略する。
【００４９】
以下、本実施形態の保護フィルム剥離装置を、図２に基づいて詳細に説明する。図２は、図２は、本実施形態の保護フィルム剥離装置の構成を示す斜視図である。図２に示すように、保護フィルム剥離装置１は、保護フィルムを剥離するための第一剥離手段２および第二剥離手段３と、液晶パネルＰを保持する保持部３０１とを備えており、液晶パネルＰに形成された保護フィルム１０５を剥離する。なお、図示しないが、保護フィルム剥離装置１は、第一剥離手段２を移動するための第一移動手段（図示しない）と、第二剥離手段３を移動するための第二移動手段（図示しない）とを更に備える。
【００５０】
第一剥離手段２は、粘着テープにより保護フィルム１０５の端部を剥離する。第一剥離手段２は、後述のように、保護フィルム１０５の表面に対して外向きの張力を粘着テープに付加した状態で、保護フィルム１０５の端部を剥離する。
【００５１】
第一剥離手段２は、上記粘着テープの一部を把持する把持パッド（第一把持部）３０２と、把持パッド３０２の把持力（把持および緩め）を制御するエアシリンダー３０３と、上記粘着テープを保護フィルム１０５に押し付けて貼着する押付パッド（押付部）３０５と、上記粘着テープにおける押付パッド３０５により把持されない部分を真空吸着して粘着テープの全体を安定な姿勢に保持する真空吸着部（吸着保持部）３０４とを備える。
【００５２】
把持パッド３０２は、規定の寸法の粘着テープを把持するため、剛性がある材料から形成されることが好ましく、それに加え、粘着テープの粘着剤が引っ付いても残り難い材料から形成されることが好ましい。例えば、把持パッド３０２は、ポリテトラフルオロエチレンで代表されるフッ素系樹脂、ＰＥＥＫ（ポリエーテルエーテルケトン）樹脂などの材料から形成されていることが好ましい。
【００５３】
また、把持パッド３０２を形成する材料として、アルミニウム、ステンレス、炭素鋼などを使用することもできる。ただし、このような場合においては、粘着テープＴの粘着剤が残り難いようにするため、把持パッド３０２に粗面処理やフッ素樹脂コーティングなどの表面処理を施すことが好ましい。
【００５４】
真空保持部３０４は、粘着テープを吸着するためのものであって、たとえば複数の小円形状の吸着口を配置してもよいし、一つの吸着口を配置してもよい。
【００５５】
押付パッド３０５は、粘着テープを保護フィルム１０５の端部に貼着するためのものであって、弾性体材料を用いることが好ましい。押付パッド３０５にスポンジなどで代表される変形が大きい材料を用いることもできる。ただし、この場合、粘着テープを十分に保護フィルム１０５に貼着させるため、押付パッド３０５を意図的に大きく変形させるように第一剥離手段２を動作させることが必要になることもある。
【００５６】
押付パッド３０５の形状については、特に限定されない。押付パッド３０５の面積は、保護フィルム１０５の端部または角部先端に規定の寸法の粘着テープを貼着できるような大きさであればよい。
【００５７】
第二剥離手段３は、第一剥離手段２により端部が剥離された保護フィルム１０５を全面的に剥離する。また、図２に示すように、第二剥離手段３は、上記粘着テープの一部を把持する把持パッド３０６と、把持パッド３０６の把持力（把持および緩め）を制御するエアシリンダー３０７とを備える。
【００５８】
把持パッド３０６の材料については、特に限定がないが、把持パッド３０２と同じ材料で形成することが好ましい。
【００５９】
保持部３０１は、液晶パネルＰを保持するものである。保持部３０１は、液晶パネルＰから剥離される保護フィルム１０５と干渉しないように設置されている。
【００６０】
次に、保護フィルム剥離装置１による保護フィルム１０５の剥離動作について、図３〜図９に基づいて詳細に説明する。保護フィルム剥離装置１は、粘着テープに張力を付加することによって、粘着テープの粘着力が顕著に向上することを利用して、保護フィルム１０５を剥離することを最大の特徴としている。
【００６１】
具体的には、保護フィルム剥離装置１は、保護フィルム１０５の端部の少なくとも一部を含むように、保護フィルム１０５に粘着テープを貼着するテープ貼着工程と、保護フィルム１０５の表面に対して外向きの張力を粘着テープに付加する張力付加工程と、粘着テープに張力を付加した状態で、保護フィルム１０５の端部を剥離する第一剥離工程と、剥離された保護フィルム１０５の端部を把持し、保護フィルム１０５全面を剥離する第二剥離工程を有している。以下、各工程について説明する。
【００６２】
〔テープ貼着工程〕
図３（ａ）〜図３（ｄ）、図４（ａ），図４（ｂ）に基づいて、テープ貼着工程を説明すると以下の通りである。図３（ａ）〜図３（ｄ）は、第一剥離手段２により粘着テープを保護フィルムに貼着する動作を説明する図であり、図４（ａ）および図４（ｂ）は、保護フィルムに対する粘着テープの貼着状態を示す平面図である。
【００６３】
図３（ａ）には、保護フィルムの端部を剥離するために使用する粘着テープを規定の寸法で切り取るためのテープカッター装置４と、第一剥離手段２とが図示されている。
【００６４】
テープカッター装置４が作動すると、粘着テープＴは、ローラ４１の回転により、規定の方向（第一剥離手段２の方向）に送られ、テープカッター装置４により規定の寸法で切断される。切断された粘着テープＴは、テープカッター装置４の粘着テープ送出口４０１から出される。第一剥離手段２は、粘着テープ送出口４０１の前に配置され、粘着テープ送出口４０１から出される粘着テープＴを第一剥離手段２の把持パッド３０２で把持可能な位置にまで導入させる。ここで、粘着テープＴの粘着面は、矢印Ｙ１で示されたローラ４１との当接面である。
【００６５】
その後、エアシリンダー３０３を作動して、エアシリンダー３０３に接続されている把持パッド３０２を動かす。これにより、図３（ｂ）のように、規定の寸法の粘着テープＴは、第一剥離手段２の把持パッド３０２で把持されることになる。図３（ｂ）には、第一剥離手段２と、第一剥離手段２に向けてエアー４０２を吹き出すためのブロア４０３とが図示されている。
【００６６】
図３（ｂ）に示すように、粘着テープＴを把持した第一剥離手段２は、図３（ａ）に示す位置から、第一剥離手段２に接続されている第一移動手段（図示しない）によって、任意の場所に設置されているブロア４０３の前に移動される。この場合、把持パッド３０２によって一端が把持されている粘着テープＴは、重力によって鉛直方向に下向きで不定形状に垂れている（図３（ｂ）の状態）。この状態において、ブロア４０３からエアー４０２を吹き出すと、粘着テープＴは、押付パッド３０５および真空吸着部３０４に沿うように付勢される。その上、真空吸着部３０４により吸着すると、規定の寸法の粘着テープＴの全体は、安定な姿勢を保持するようになる。
【００６７】
図３（ｃ）および図３（ｄ）には、第一剥離手段２により、液晶パネルＰに粘着テープＴを貼着する状態が図示されている。
【００６８】
具体的には、図３（ｃ）に示すように、第一剥離手段２が粘着テープＴを安定な姿勢に把持した後、第一移動手段（図示しない）によって、第一剥離手段２が液晶パネルＰ上に移動する。この移動により、第一剥離手段２の姿勢が変わり、粘着テープＴが水平方向に配置されるようになる。つまり、第一剥離手段２は、粘着テープＴの裏面（粘着面）が、液晶パネルＰの保護フィルム１０５の表面に対向するように、移動される。これにより、粘着面を下向きにした粘着テープＴと液晶パネルＰの保護フィルム１０５とは、互いに水平方向に配置される。この場合、粘着テープＴは、把持パッド３０２により把持され、真空吸着部３０４により吸着されている。このため、粘着テープＴは、保護フィルム１０５の方に垂れる恐れがない。
【００６９】
次に、図３（ｃ）の状態から、第一剥離手段２は、上記第一移動手段によって液晶パネルＰに向けて降下し、規定の寸法の粘着テープＴを保護フィルム１０５に接触させる。その後、図３（ｄ）に示すように、真空吸着部３０４による吸着動作を停止させて、粘着テープＴが保護フィルム１０５上に貼着する。このようにして、粘着テープＴが保護フィルム１０５の粘着領域Ａ（図３（ｄ）を参照）に貼着される。
【００７０】
以下、保護フィルム１０５上への粘着テープＴの貼着位置について、図４（ａ）、図４（ｂ）に基づいて説明する。
【００７１】
図４（ａ）に示すように、粘着テープＴは、保護フィルム１０５表面の全域に貼着する必要はなく、保護フィルム１０５の一部に貼着すればよい。具体的には、粘着テープＴは、保護フィルム１０５の端部を含むように貼着すればよい。これにより、保護フィルム１０５はその端部から剥離されるようになり、剥離が容易に行われる。
【００７２】
より好ましくは、図４（ｂ）に示すように、粘着テープＴは、保護フィルム１０５の角部先端を含むように貼着する。つまり、保護フィルム１０５における粘着テープＴの貼着部分が、保護フィルム１０５の角部先端を含む。この場合、剥離を始める部位がより小さいため、剥離が更に容易に行われる。ここで、粘着テープＴの中心線５０１が、保護フィルム１０５の角部５０２の二等分線５０３になる（二等分線５０３と重なる）ことがより好ましい。
【００７３】
なお、粘着テープＴは、図４（ａ）および図４（ｂ）のように、保護フィルム１０５の端部または角部からはみ出すように貼着してもよい。この場合、粘着テープＴは、保護フィルム１０５に貼着されない非貼着部を有することになる。これにより、粘着テープＴを、確実に保護フィルム１０５の端部または角部を含むように貼着することができる。また、後述の張力付加工程および第一剥離工程も容易になる。
【００７４】
〔張力付加工程〕
次に、上記テープ貼着工程により保護フィルム１０５に貼着された粘着テープＴに張力を付加する張力付加工程について、図５（ａ）、図５（ｂ）、図６（ａ）、図６（ｂ）に基づいて説明する。図５（ａ）および図５（ｂ）は、第一剥離手段２により粘着テープＴに張力を付加する動作を説明する図である。
【００７５】
上述の図３（ｄ）のように、粘着テープＴが保護フィルム１０５に単に貼着された状態では、規定の寸法の粘着テープＴには張力が付加されていない。このため、粘着テープＴの粘着力は、何ら変化しない。そこで、保護フィルム剥離装置１では、粘着テープＴに張力を付加することによって、粘着テープＴに高い粘着性を発生させる。粘着テープＴの張力は、図５（ａ）および図５（ｂ）に示す動作によって発生させることになる。
【００７６】
まず、第一剥離手段２によって粘着テープＴの非貼着部（保護フィルム１０５に貼着されない部分）を把持した状態で、第一移動手段により、第一剥離手段２を保護フィルム１０５の表面から離れる方向へ移動させる。例えば、図３（ｄ）の矢印Ｙ２で示す方向に、第一剥離手段２を移動させる。これにより、図５（ａ）に示すように、粘着テープＴの非貼着部が、保護フィルム１０５表面に対して、垂直配置される。この場合、第一剥離手段２の保護フィルム１０５表面に対し、垂直方向の移動距離Ｌ１は、大きくても３ｍｍ以下であることが好ましい。本実施形態では、移動距離Ｌ１は、１ｍｍである。
【００７７】
その後、第一剥離手段２を図５（ａ）中の矢印Ｙ３に示すように、保護フィルム１０５の外側へ移動させる。これにより、図５（ｂ）のように、粘着テープＴは、保護フィルム１０５の表面に対して、外向きに引っ張られた状態になる。このとき、保護フィルム１０５表面に対し平行方向（水平方向）の移動距離Ｌ２は、大きくても２ｍｍ以下であることが好ましい。本実施形態では、移動距離Ｌ２は、１ｍｍである。
【００７８】
これにより、粘着テープＴには、保護フィルム１０５の表面に対して外向きの張力が付加され、粘着テープＴは、汚れを防止するために表面処理された保護フィルム１０５に対しても、高い粘着力を発揮する。
【００７９】
ここで、粘着テープＴに付加される張力の方向および大きさについて、図６（ａ）、（ｂ）に基づいて説明する。
【００８０】
図５（ｂ）の状態で、粘着テープＴに付加される張力は、保護フィルム１０５表面に対し垂直な面における分力ＦＨ（図６（ａ））、および保護フィルム１０５表面に平行な面における分力ＦＰ（図６（ｂ））に分割することができる。
【００８１】
図６（ａ）は、図５（ｂ）における点線に囲まれた部分の拡大図であり、粘着テープＴに付加される張力の保護フィルム１０５表面に垂直な面における分力ＦＨを説明するための概略図である。
【００８２】
図６（ａ）に示すように、粘着テープＴの保護フィルム１０５に貼着されない部分の粘着面（裏面）と保護フィルム１０５の表面を含む平面（保護フィルム１０５表面を外側に拡張した面）との間で成す角度θ１（分力ＦＨの方向角度）は、常に９０°以下であることが好ましい（図５（ｂ）を参照）。ここで、角度θ１がほぼゼロである場合、図５（ｂ）における張力の方向が、粘着テープＴの長さ方向とほぼ平行になる。この場合、図５（ａ）における粘着テープＴの移動距離Ｌ１もほぼゼロであれば、張力付加工程の全過程において、張力の方向が粘着テープＴの長さ方向とほぼ平行になる。
【００８３】
また、分力ＦＨの保護フィルムの表面に対し垂直方向の分力ＦＨＺは、粘着テープＴが貼着された保護フィルム１０５の端部における、偏光板１０３と保護フィルム１０５との粘着力ｆより小さいかまたは等しい。これは、分力ＦＨＺが粘着力ｆより大きい場合、粘着テープＴに張力が十分に付加されない状態で保護フィルム１０５が偏光板１０３から剥離される場合があるためである。
【００８４】
一方、図６（ｂ）は、粘着テープＴに付加される張力の保護フィルム１０５に対し平行な面における分力ＦＰを説明するための概略図である。図６（ｂ）に示すように、この分力ＦＰの方向は、粘着テープＴの長さ方向に平行であることが好ましいが、これに限定されない。たとえば、図６（ｂ）のような場合、分力ＦＰの方向と偏光板１０３の長さ方向との間で成す角度θ２は、０度以上、９０°以下の範囲内とすることができる。この場合、張力Ｆの保護フィルム１０５の表面における分力ＦＰが、保護フィルム１０５の端部の少なくとも一部の外側に向かうようになり、粘着テープＴに確実に張力を付加することができる。これにより、粘着テープＴの粘着力を確実に向上させることができる。
【００８５】
〔第一剥離工程〕
以下、保護フィルム１０５の端部を剥離する第一剥離工程について、図５（ｂ）、図６（ａ）、図７（ａ）、および図７（ｂ）に基づいて説明する。
【００８６】
図５（ｂ）の状態から、第一剥離手段２を、矢印Ｙ４で示すように保護フィルム１０５表面に対して垂直方向に移動させると、粘着テープＴに貼着された保護フィルム１０５の端部は剥離され、図７（ａ）に示す状態になる。この状態を斜視図で示すと図８（ａ）のようになる。ここで、第一剥離手段２により引っ張られる規定の寸法の粘着テープＴの姿勢は、第一剥離手段２の移動軌跡と移動速度によって支配される。
【００８７】
そして、第一剥離工程において、粘着テープＴが高い粘着性を発現し続けるようにするために、常に規定の寸法の粘着テープＴに張力が付加されるように第一剥離手段２の移動軌跡と移動速度が決められることが好ましい。
【００８８】
常に規定の寸法の粘着テープＴに張力を付加するため、保護フィルム１０５を剥離するとき、粘着テープＴの保護フィルム１０５に貼着されない部分の粘着面と、保護フィルム１０５の表面を含む平面（保護フィルム１０５が剥離され露出した偏光板１０３の表面）との間で成す角度θ３（図７（ａ）を参照）は、常に９０°以下であることが好ましい。より好ましくは、角度θ３は常に４５°以下である。これにより、保護フィルム１０５の端部の剥離開始前から剥離終了まで、継続的に粘着テープＴに対し、上記張力を付加することができる。従って、粘着テープＴの粘着力を向上させた状態を維持して、保護フィルム１０５の端部を剥離することができる。
【００８９】
また、第一剥離工程において、保護フィルム１０５を偏光板１０３から剥離するためには、図６（ａ）における分力ＦＨの保護フィルム１０５の表面に対し垂直方向の分力ＦＨＺが、前記粘着テープＴが貼着される保護フィルム１０５の端部の少なくとも一部における、偏光板１０３と保護フィルム１０５との粘着力ｆより大きくするかまたは等しくする。
【００９０】
図７（ａ）に示す保護フィルム１０５の状態では、次の第二剥離手段３によって保護フィルム１０５の端部を保持するための十分な空間が得られない場合がある。したがって、第一剥離手段２により保護フィルム１０５の端部を剥離した後は、保護フィルム１０５の端部または角部が第二剥離手段３で保持可能な状態になるまで、保護フィルム１０５を十分に剥離する必要がある。すなわち、第一剥離工程において、端部が剥離された保護フィルム１０５を第二剥離手段３で把持可能な位置に移動する。この状態を斜視図で示すと図８（ｂ）のようになる。
【００９１】
たとえば、図７（ｂ）に示すように、保護フィルム１０５の姿勢は液晶パネルＰに対してほぼ９０°になっているが、第二剥離手段３で把持可能であれば、保護フィルム１０５の姿勢はこれに限らない。
【００９２】
〔第二剥離工程〕
以下、保護フィルム１０５の全面を剥離する第二剥離工程について、図７（ｂ）および図８（ｂ）、図９（ａ）、および図９（ｂ）に基づいて説明する。図９（ａ）は、第二剥離手段３により保護フィルム１０５を剥離する状態を示す斜視図であり、図９（ｂ）は、図９（ａ）の平面図である。
【００９３】
図７（ｂ）および図８（ｂ）に示す状態から、エアシリンダー３０７を作動して、エアシリンダー３０７に接続されている把持パッド３０６を動かす。これにより、保護フィルム１０５の端部または角部は、第二剥離手段３の把持パッド３０６で把持されることになる。その後、第一剥離手段２の把持を解除する。
【００９４】
次いで、第一剥離手段２を、上記第一移動手段によって第二剥離手段３と保護フィルム１０５に干渉しない位置に移動させる。その後、第二移動手段によって第二剥離手段３を移動させて保護フィルム１０５の全面を剥離する。図９（ａ）は、この状態を示す斜視図である。
【００９５】
たとえば、第二剥離手段３を、図９（ｂ）に示すように液晶パネルＰの対角線の方向（矢印Ｙ５が示す方向）に移動することで、保護フィルム１０５は完全に剥離される。
【００９６】
以上のように、本発明によれば、保護フィルムを剥離する前に、保護フィルム表面に対して外向きの張力を、粘着テープに付加する。これにより、粘着テープの粘着力が顕著に向上する。さらに、粘着テープにその張力を付加した状態で、保護フィルムの端部の剥離を開始する。これにより、粘着力を向上させた粘着テープによって、保護フィルムを剥離することができる。従って、保護フィルムを容易に剥離することができる。
【００９７】
なお、本発明では、粘着テープによって保護フィルムを剥離するため、粘着テープの粘着力が、保護フィルムを剥離するための、剥離力となる。このため、通常、粘着テープの粘着力は、保護フィルムを剥離するために必要な剥離力（保護フィルムの被保護部材への粘着力）と略同一〜数倍程度に設定される。
【００９８】
しかし、粘着テープの粘着力を、保護フィルムを剥離するために必要な剥離力の数倍程度に設定したとしても、特許文献１のように、粘着テープを保護フィルム表面に対して直角から鋭角方向に粘着テープを引き上げると、保護フィルムの剥離が困難であった。保護フィルムに表面処理が施されている場合、および、粘着テープの粘着力にムラが生じていると、特に、保護フィルムの剥離に失敗するという問題が顕在化している。
【００９９】
しかしながら、本発明によれば、保護フィルムを剥離する前、保護フィルムに予め張力を発生させ、粘着テープに高い粘着性を付与するため、保護フィルムの剥離をより容易に且つ快速に行うことができる。また、保護フィルムに表面処理が施されている場合、および、粘着テープの粘着力にムラが生じていても、確実に保護フィルムを剥離することができる。
【０１００】
本発明は、以下のように表現することもできる。
【０１０１】
〔１〕本発明に係る保護フィルム剥離装置は、剥離されるべき保護フィルムが表面に貼り付けられている薄板形状をした被保護部材を保持するための保持手段と、粘着テープの所定長さ部分を保護フィルム角部先端が含むように貼り付ける貼着手段と、前記粘着テープの非貼着部の端部を把持するための把持部を備え、前記把持部で把持した粘着テープを引っ張ることにより保護フィルム角部を剥離する第一の保護フィルム剥離手段と、第一の保護フィルム剥離手段によって剥離された保護フィルム角部を保持する保持部を備え、前記保持部を移動させることにより保護フィルム全面を剥離する第二の保護フィルム剥離手段とを具備する保護フィルム剥離装置であって、第一の保護フィルム剥離手段で保護フィルム角部を剥離する前において、粘着テープに対して張力を発生させる保護フィルム剥離装置。
【０１０２】
〔２〕上記〔１〕に記載の保護フィルム剥離装置において、前記把持部において、粘着テープ全幅を把持し、保護フィルムに貼り付けられた粘着テープに対して把持方向が略直角である保護フィルム剥離装置。
【０１０３】
〔３〕上記〔１〕または〔２〕に記載の保護フィルム剥離装置において、保護フィルム角部を剥離する前に粘着テープに対して張力を発生させる場合において、粘着テープ面が保護フィルム面と略平行で、かつ粘着テープの長さ方向と略同じ方向に粘着テープを引っ張る保護フィルム剥離装置。
【０１０４】
〔４〕上記〔１〕、〔２〕、または〔３〕に記載の保護フィルム剥離装置において、保護フィルム角部を剥離するときにおいて、常に粘着テープに対して張力が発生するように第一の保護フィルム剥離手段が移動する保護フィルム剥離装置。
【０１０５】
〔５〕上記〔１〕〜〔４〕のいずれかに記載の保護フィルム剥離装置において、保護フィルム角部を剥離するときにおいて、粘着テープを引っ張る方向が粘着テープの長さ方向と略同じで、かつ保護フィルム面に対する粘着テープのなす角度が９０度を超えないように第一の剥離手段を移動させる保護フィルム剥離装置。
【０１０６】
〔６〕本発明に係る保護フィルム剥離方法は、薄板形状をした被保護部材の表面を保護するために貼り付けられた保護フィルムを剥離する方法であって、粘着テープの所定の長さ部分を保護フィルム角部先端が含むように貼り付ける工程と、前記粘着テープの非貼着部の端部を把持しつつ、粘着テープを引っ張ることにより保護フィルム角部を剥離する第一の保護フィルム剥離工程と、第一の保護フィルム剥離工程によって剥離された保護フィルム角部を保持しつつ、保護フィルム全面を剥離するための第二の保護フィルム剥離工程とを含み、第一の保護フィルム剥離工程で保護フィルム角部を剥離する前において、粘着テープに対して張力を発生させることを特徴とする保護フィルム剥離方法。
【０１０７】
本発明によれば、保護フィルムの剥離前の粘着テープに、保護フィルム表面に対して外向きの張力を付加する。これにより、粘着テープの粘着力、特に、せん断方向の粘着力が、張力を付加しない場合よりも、顕著に向上する。そして、向上させた粘着力を利用して、保護フィルムを剥離する。従って、保護フィルムを容易に剥離することができる。特に、保護フィルムに防汚処理等の表面処理が施されていても、被保護部材から保護フィルムを確実に剥離することができる。また、粘着力にムラが生じやすいゴム系の粘着テープを用いたとしても、安定して保護フィルムを剥離することができる。
【０１０８】
本発明は上述した実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。たとえば、上記の実施形態において、第一移動手段と第二移動手段は、一つの移動手段で実現してもよい。
【実施例】
【０１０９】
表面処理された保護フィルム１０５を平面上に固定し、その上に、最短でも長さ５０ｍｍである粘着テープＴの一部を、図４（ｂ）に示すように、保護フィルム１０５の角部に貼着する。この場合、粘着テープＴの保護フィルム１０５の角部先端から離れた距離ｘは、３０ｍｍである。なお、保護フィルム１０５は、日東電工社のＰＰＦ−１００Ｔの製品であり、保護フィルム１０５の表面は、長鎖アルキル基により表面処理が施されている。
【０１１０】
この状態で、粘着テープＴの保護フィルム１０５に貼着されなかった部分を第一剥離手段２で把持してほぼ水平方向に引っ張る。すなわち、上記張力付加工程において、図５（ａ）に示すＬ１がほぼゼロであり、図６（ａ）に示すθ１がほぼゼロである場合に相当する。
【０１１１】
この状態で粘着テープＴを保護フィルム１０５から離れる方向に移動し、粘着テープＴが剥離始めるときの第一剥離手段２の引っ張り力を測定する。この引っ張り力を、本実施例の粘着テープＴの最大張力として記録する。実施例における粘着テープＴの最大粘着力は、７０Ｎである。
【０１１２】
〔比較例〕
比較例において、上記実施例と同じ長さの粘着テープＴを、実施例と同じように保護フィルム１０５に貼着した。また、保護フィルム１０５は、上記実施例と同じ製品を用いており、長鎖アルキル基により表面処理が施されている。比較例の実施例との相違点は、以下のとおりである。
【０１１３】
この状態で、粘着テープＴの保護フィルム１０５に貼着されなかった部分を第一剥離手段２で把持してほぼ垂直方向に引っ張る。すなわち、上記張力付加工程において、図６（ａ）に示すθ１がほぼ９０°である場合に相当する。
【０１１４】
この状態で粘着テープＴを保護フィルム１０５から離れる方向に移動し、粘着テープＴが剥離始めるときの第一剥離手段２の引っ張り力を測定する。この引っ張り力を、本実施例の粘着テープＴの最大張力として記録する。比較例における粘着テープＴの最大粘着力は、４．８Ｎである。
【０１１５】
図１０は、上記実施例および比較例における、粘着テープＴの最大粘着力を比較したグラフである。図１０から明らかなように、実施例では、粘着テープＴに対して予め張力を付加し、その後、その張力を付加した状態で保護フィルム１０５を剥離したため、粘着テープＴは、表面処理された保護フィルム１０５に対しても高い粘着性を示す。これに対し、比較例では、粘着テープＴで保護フィルム１０５を剥離する前に、粘着テープＴに張力が付加されないため、粘着テープＴは、表面処理された保護フィルム１０５に対して高い粘着性を示さない。従って、実施例により、粘着テープＴの粘着力を向上する効果が実証された。
【産業上の利用可能性】
【０１１６】
本発明は、液晶テレビなどの電気製品の組立工程において、傷などを防ぐために用いられた保護フィルムを剥離する装置および方法に好適に利用できる。
【図面の簡単な説明】
【０１１７】
【図１】本発明の保護フィルム剥離装置によって剥離される保護フィルムが設けられた液晶パネルの部分断面図である。
【図２】本発明の保護フィルム剥離装置の構成を示す斜視図である。
【図３】（ａ）〜（ｄ）は、第一剥離手段により粘着テープを保護フィルムに貼着する動作を説明する図である。
【図４】（ａ）および（ｂ）は、保護フィルムに対する粘着テープの貼着状態を示す平面図である。
【図５】（ａ）および（ｂ）は、第一剥離手段により粘着テープに張力を付加する動作を説明する図である。
【図６】（ａ）は、図５（ｂ）における破線部において、粘着テープに付加される張力の保護フィルム表面に対して、垂直方向の分力（ＦＨ）を説明するための概略図であり、（ｂ）は、粘着テープに付加される張力の保護フィルム表面に対して、水平方向の分力（ＦＰ）を説明するための概略図である。
【図７】（ａ）および（ｂ）は、粘着テープの端部を剥離する動作を説明する図である。
【図８】（ａ）は、図７（ａ）の状態に対応する斜視図であり、（ｂ）は、図７（ｂ）の状態に対応する斜視図である。
【図９】（ａ）は、第二剥離手段により保護フィルムを剥離する状態を示す斜視図であり、（ｂ）は、（ａ）の状態を示す平面図である。
【図１０】本発明の実施例と比較例における粘着テープの最大粘着力を表すグラフである。
【符号の説明】
【０１１８】
Ｔ  粘着テープ
１  保護フィルム剥離装置
２  第一剥離手段
１０３、１０４  偏光板（被保護部材）
１０５、１０６  保護フィルム
【図１】
2010149965.tif 000003
【図２】
2010149965.tif 000004
【図３】
2010149965.tif 000005
【図４】
2010149965.tif 000006
【図５】
2010149965.tif 000007
【図６】
2010149965.tif 000008
【図７】
2010149965.tif 000009
【図８】
2010149965.tif 000010
【図９】
2010149965.tif 000011
【図１０】
2010149965.tif 000012